(57)【特許請求の範囲】
【請求項１】
偏光板で構成され、天板に立てた状態で取り付けられた親譜面台と、
当該親譜面台と偏光方向が異なる偏光板で構成され、前記親譜面台との間に楽譜を挟み込んだ状態でセットするために前記親譜面台に重ね合わされる子譜面台と、
を備えることを特徴とする鍵盤楽器の譜面台。
【請求項２】
前記天板の上面に左右方向に沿って連続的に形成され、前後方向に並んで配置された溝状の複数のレールをさらに備え、
前記親譜面台および前記子譜面台は、前記複数のレールのうちの後ろ側および前側のレールにそれぞれ差し込んだ状態で着脱自在に取り付けられていることを特徴とする、請求項１に記載の鍵盤楽器の譜面台。
【請求項３】
前記複数のレールが３本以上のレールで構成されていることを特徴とする、請求項２に記載の鍵盤楽器の譜面台。
【発明の詳細な説明】
【０００１】
【発明の属する技術分野】
本発明は、電子ピアノや電子オルガンなどの鍵盤楽器の譜面台に関する。
【０００２】
【従来の技術】
従来の鍵盤楽器、例えば電子ピアノの譜面台として、親子式のものが知られている。この親子式の譜面台は、２枚の透明なアクリル板で構成されている。一方、電子ピアノの天板の上面には、左右方向に連続している溝状のレールが前後２列に形成されており、これらの溝に譜面台が１枚ずつ差し込んだ状態で、着脱可能に取り付けられ、少し斜めに立てられている。そして、これらの２枚の譜面台の間に楽譜を挟み込むことにより、楽譜が倒れ込むことなく保持され、演奏者は、前側の透明な譜面台を介して楽譜を見ながら演奏を行うことができる。
【０００３】
【発明が解決しようとする課題】
しかし、この従来の譜面台では、楽譜が透明な２枚の譜面台の間に挟みこまれているため、楽譜の周りの部分で背景が透けて見えてしまう。このため、演奏者が演奏に集中できないという不具合がある。また、２列のレール間の間隔以下の厚さの楽譜しかセットすることができないので、様々な厚さの楽譜を良好にセットできない。
【０００４】
本発明は、このような課題を解決するためになされたものであり、演奏者が楽譜を集中して見ることができるとともに、楽譜をその厚さにかかわらず良好にセットすることができる鍵盤楽器の譜面台を提供することを目的としている。
【０００５】
【課題を解決するための手段】
この目的を達成するため、本発明の鍵盤楽器の譜面台は、偏光板で構成され、天板に立てた状態で取り付けられた親譜面台と、親譜面台と偏光方向が異なる偏光板で構成され、親譜面台との間に楽譜を挟み込んだ状態でセットするために親譜面台に重ね合わされる子譜面台と、を備えることを特徴とする。
【０００６】
この鍵盤楽器の譜面台は、親譜面台が偏光板で構成され、天板に立てた状態で取り付けられている。また、子譜面台が、親譜面台と偏光方向が異なる偏光板で構成されているので、親譜面台との間に楽譜を挟み込んだ状態でセットすると、親譜面台と子譜面台との重なり合った楽譜以外の部分が不透明になるのに対し、楽譜は、１枚の子譜面台のみを介して、透かして見ることができる。したがって、楽譜の周りの部分の背景が透けて見えることがなくなり、楽譜がくっきりと見えるので、演奏者は、楽譜を集中して見ることができる。
【０００７】
請求項２に係る発明は、請求項１に記載の鍵盤楽器の譜面台において、天板の上面に左右方向に沿って連続的に形成され、前後方向に並んで配置された溝状の複数のレールをさらに備え、親譜面台および子譜面台は、複数のレールのうちの後ろ側および前側のレールにそれぞれ差し込んだ状態で着脱自在に取り付けられていることを特徴とする。
【０００８】
この構成によれば、天板の上面に左右方向に沿って連続的に形成された溝状のレールが、前後方向に複数、並んで配置されている。また、親譜面台および子譜面台が後ろ側のレールおよび前側のレールに差し込んだ状態で着脱自在に取り付けられている。このことから、取り付けた親譜面台と子譜面台との間に楽譜を挟み込むことができる。したがって、薄い楽譜でも倒れ込むことなく安定してセットできる。また、レールが左右方向に延びるとともに、親譜面台および子譜面台がレールに着脱自在に取り付けられることから、天板の左右方向の任意の位置に譜面台を取り付け、楽譜をセットすることができる。また、譜面台を２組用いて、左右方向に並べて使用することも可能であり、その場合には、枚数の多い楽譜でも並べた状態でセットできるので、譜めくりが不要になる。
【０００９】
請求項３に係る発明は、請求項２に記載の鍵盤楽器の譜面台において、複数のレールが３本以上のレールで構成されていることを特徴とする。
【００１０】
この構成によれば、溝状のレールが３本以上で構成されているので、楽譜の厚さに合わせて、親譜面台および子譜面台を取り付けるレールを適当に選択することによって、楽譜をその厚さにかかわらず良好にセットすることができる。
【００１１】
【発明の実施の形態】
以下、本発明の実施形態を、図面を参照しながら説明する。図１は、本発明の第１実施形態を適用した電子ピアノ１を示している。同図に示すように、この電子ピアノ１は、左右の腕木２、２と、腕木２、２の上面後部間に取り付けられた天板３と、腕木２、２の前部間に設けられた鍵盤４およびコントロールパネル５と、これらを支持するスタンド（図示せず）などを備えている。また、天板３の上面には、親子式譜面台６が取り付けられている。
【００１２】
親子式譜面台６は、図２に示すように、親譜面台６ａおよび子譜面台６ｂで構成されている。親譜面台６ａは、例えば偏光フィルムを透明な２枚のアクリル板で挟み込み、接合した偏光板で構成され、偏光フィルムは、例えばポリビニルアルコール系のものが用いられている。親譜面台６ａは、左右方向に延びており、背もたれ部６ｃと、その下端部から若干、前方に突出する受け部６ｄとから、断面Ｌ字状に形成されている。また、親譜面台６ａの受け部６ｄの左右には、下方に突出する突起６ｅ、６ｅが形成されており、これらの突起６ｅ、６ｅが、天板３の取付穴（図示せず）に差し込まれることによって、天板３に親譜面台６ａが立てた状態で取り付けられている。一方、子譜面台６ｂは、親譜面台６ａと偏光方向が異なる同様の偏光板で構成されている。また、子譜面台６ｂは、ほぼ長方形状に形成されており、親譜面台６ａとほぼ同じ大きさを有している。
【００１３】
以上の構成によれば、子譜面台６ｂが親譜面台６ａと偏光方向が異なる偏光板で構成されているので、図３に示すように、親譜面台６ａとの間に楽譜７を挟み込んだ状態でセットすると、親譜面台６ａと子譜面台６ｂとの重なり合った楽譜７以外の部分が不透明になるのに対し、楽譜７は、１枚の子譜面台６ｂのみを介して、透かして見ることができる。したがって、楽譜７の周りの部分の背景が透けて見えることがなくなり、楽譜７がくっきりと見えるので、演奏者は、楽譜７を集中して見ることができる。
【００１４】
図４は、本発明の第２実施形態を示している。この実施形態では、譜面台１３は、親譜面台１３ａおよび子譜面台１３ｂで構成されている。電子ピアノ１１の天板１２の上面に溝状の４本のレール１２ａが形成されており、これらのレール１２ａに、親譜面台１３ａおよび子譜面台１３ｂの下端部が、差し込んだ状態で着脱自在に取り付けられている。これらのレール１２ａは、天板１２の上面前部に左右方向に沿って連続的に形成され、前後方向に所定の等間隔に並んで配置されている。また、親譜面台１３ａおよび子譜面台１３ｂは、互いに同じ大きさでほぼ長方形に形成され、第１実施形態と同様、偏光フィルムを透明な２枚のアクリル板で挟み込み、接合した偏光板で構成されており、それらの偏光方向は互いに異なるように設定されている。他の構成は、第１実施形態と同様である。
【００１５】
以上の構成の譜面台１３は、次のようにして用いられる。例えば、楽譜ピースのような比較的薄い楽譜１４をセットする場合には、図５（ａ）に示すように、子譜面台１３ｂを一番手前のレール１２ａに取り付け、親譜面台１３ａをその１つ後ろのレール１２ａに取り付ける。これにより、同図（ｂ）に示すように、親譜面台１３ａと子譜面台１３ｂとの間に楽譜１４を挟み込むことによって、楽譜を倒れ込むことなく、良好にセットすることができる。また、楽譜集のような比較的厚い楽譜１５をセットする場合には、図６（ａ）に示すように、子譜面台１３ｂを一番手前のレール１２ａに取り付け、親譜面台１３ａを一番奥のレール１２ａに取り付けることで、同図（ｂ）に示すように、親譜面台１３ａと子譜面台１３ｂとの間に楽譜１５を挟み込んだ状態で良好にセットできる。
【００１６】
以上のように、楽譜の厚さに合わせて、親譜面台１３ａおよび子譜面台１３ｂを取り付けるレール１２ａを適当に選択することによって、楽譜をその厚さにかかわらず良好にセットすることができる。また、本実施形態においても、譜面台１３の偏光方向が互いに異なる親譜面台１３ａおよび子譜面台１３ｂで構成されているので、楽譜がくっきり見えるという第１実施形態と同様の効果を得ることができる。さらに、レール１２ａが左右方向に延びるとともに、親譜面台１３ａおよび子譜面台１３ｂがレール１２ａに着脱自在に取り付けられることから、天板１２の左右方向の任意の位置に譜面台１３を取り付け、楽譜をセットすることができる。また、図７に示すように、譜面台１３を２組用いて、左右方向に並べて使用することが可能であり、その場合には、枚数の多い楽譜でも並んだ状態でセットできるので、譜めくりが不要になる。
【００１７】
【発明の効果】
以上のように、本発明の鍵盤は、演奏者が楽譜を集中して見ることができるとともに、楽譜をその厚さにかかわらず良好にセットすることができるなどの効果を有する。
【図面の簡単な説明】
【図１】本発明の第１実施形態による電子ピアノを示す斜視図である。
【図２】親子式譜面台を示す分解斜視図である。
【図３】親譜面台と子譜面台との間に楽譜を挟み込んで重ね合わせた斜視図である。
【図４】本発明の第２実施形態による電子ピアノを示す斜視図である。
【図５】薄い楽譜をセットした場合の（ａ）電子ピアノの親子式譜面台付近を示す部分側面図、および（ｂ）平面図である。
【図６】厚い楽譜をセットした場合の（ａ）電子ピアノの親子式譜面台付近を示す部分側面図、および（ｂ）平面図である。
【図７】第２実施形態の親子式譜面台を２組用いた電子ピアノを示す斜視図である。
【符号の説明】
３    天板
６    親子式譜面台
６ａ  親譜面台
６ｂ  子譜面台
７    楽譜
１２    天板
１２ａ  レール
１３    親子式譜面台
１３ａ  親譜面台
１３ｂ  子譜面台
１４    楽譜
１５    楽譜
【図１】
0003801896.tif 000002
【図２】
0003801896.tif 000003
【図３】
0003801896.tif 000004
【図４】
0003801896.tif 000005
【図５】
0003801896.tif 000006
【図６】
0003801896.tif 000007
【図７】
0003801896.tif 000008